(57)【要約】【課題】光源ユニットと器具本体との安定した取り付けにより、損傷などを防ぐことができる照明器具を得る。【解決手段】光源となる発光モジュールを有する光源ユニットと、光源ユニットの一部を収容する空間となる凹部を有し、光源ユニットが着脱可能に取り付けられる器具本体とを備え、器具本体は、凹部の開口部分の縁に、凹部の開口側に突出する凸部を有し、光源ユニットは、発光モジュールが取り付けられる第一板部と、空間を隔てて第一板部と対向し、第一板部との間の空間に、凸部を挟む第二板部とを有するフレームを有するものである。【選択図】図７
2019149295.tif 000002
【特許請求の範囲】
【請求項１】
光源となる発光モジュールを有する光源ユニットと、
前記光源ユニットの一部を収容する空間となる凹部を有し、前記光源ユニットが着脱可能に取り付けられる器具本体とを備え、
前記器具本体は、前記凹部の開口部分の縁に、前記凹部の開口側に突出する凸部を有し、
前記光源ユニットは、前記発光モジュールが取り付けられる第一板部と、空間を隔てて該第一板部と対向し、前記第一板部との間の前記空間に、前記凸部を挟む第二板部とを有するフレームを有する照明器具。
【請求項２】
前記凹部の前記開口部分の縁は、前記凸部の端部となり、
前記第一板部は、前記凸部の端部と当接される請求項１に記載の照明器具。
【請求項３】
前記第二板部は、前記凸部に当接して係止される爪部を、端部に有する請求項１または請求項２に記載の照明器具。
【請求項４】
前記爪部は、前記第二板部とは別部材である請求項３に記載の照明器具。
【発明の詳細な説明】
【技術分野】
【０００１】
この発明は、照明器具に関するものである。特に、器具本体と光源ユニットとを着脱することができる照明器具に係るものである。
【背景技術】
【０００２】
従来から、天井などの被取付部に取り付けられる照明器具であって、空間が形成された凹部を有する器具本体と、ＬＥＤを用いた光源ユニットとを備えるものがある。光源ユニットは、凹部に一部が収容され、着脱可能に、器具本体に取り付けられる（たとえば、特許文献１および特許文献２参照）。
【先行技術文献】
【特許文献】
【０００３】
【特許文献１】特許第５８９２３５５号公報
【特許文献２】特許第５４９２３４４号公報
【発明の概要】
【発明が解決しようとする課題】
【０００４】
ここで、上述の特許文献に記載された照明器具では、光源ユニットを器具本体に取り付ける際、光源ユニットを凹部に押し込んで取り付ける。光源ユニットの取り付けに係る取り付け機構としては、係止部材により光源ユニットを照射方向（下方向）へ引っ掛けているだけである。このため、光源ユニットが上方向（押し込み方向）へ動いてしまい、安定した取り付けを行うことができなかった。また、取り付けの際、光源ユニットを押し込みすぎると、凹部に配設された部材と干渉するおそれがあった。
【０００５】
この発明は、上記のような課題を解決するため、光源ユニットと器具本体との安定した取り付けにより、損傷などを防ぐことができる照明器具を得ることを目的とする。
【課題を解決するための手段】
【０００６】
上記の課題を解決するために、この発明に係る照明器具は、光源となる発光モジュールを有する光源ユニットと、光源ユニットの一部を収容する空間となる凹部を有し、光源ユニットが着脱可能に取り付けられる器具本体とを備え、器具本体は、凹部の開口部分の縁に、凹部の開口側に突出する凸部を有し、光源ユニットは、発光モジュールが取り付けられる第一板部と、空間を隔てて第一板部と対向し、第一板部との間の空間に、凸部を挟む第二板部とを有するフレームを有するものである。
【発明の効果】
【０００７】
この発明の照明器具によれば、光源ユニットのフレームにおいて、第一板部と第二板部の間を空け、器具本体の凸部がその空間に嵌め込まれ、第一板部と第二板部とで凸部を挟むようにしたので、光源ユニットを器具本体に容易に固定することができる。このため、安定して取り付けることができ、損傷などを防ぐことができる。
【図面の簡単な説明】
【０００８】
【図１】この発明の実施の形態１に係る照明器具１の構成を示す斜視図である。
【図２】この発明の実施の形態１に係る照明器具１の分解斜視図である。
【図３】この発明の実施の形態１に係る器具本体１００の構成を示す図である。
【図４】この発明の実施の形態１に係る照明器具１の断面を示す図である。
【図５】この発明の実施の形態１に係る照明器具１を分解したときの断面を示す図である。
【図６】この発明の実施の形態１に係るフレーム２２０とカバー２３０とを説明する図である。
【図７】この発明の実施の形態１に係る光源ユニット２００を器具本体１００に取り付ける工程について説明する図である。
【図８】この発明の実施の形態１に係る照明器具１の他の一例を示す図である。
【図９】この発明の実施の形態２に係る照明器具１の構成を説明する図である。
【図１０】この発明の実施の形態３に係る照明器具１の構成を説明する図である。
【図１１】この発明の実施の形態４に係る照明器具１の構成を説明する図である。
【発明を実施するための形態】
【０００９】
以下、発明の実施の形態に係る照明器具について、図面などを参照しながら説明する。以下の図面において、同一の符号を付したものは、同一またはこれに相当するものであり、以下に記載する実施の形態の全文において共通することとする。そして、明細書全文に表わされている構成要素の形態は、あくまでも例示であって、明細書に記載された形態に限定するものではない。特に構成要素の組み合わせは、各実施の形態における組み合わせのみに限定するものではなく、他の実施の形態に記載した構成要素を別の実施の形態に適用することができる。また、以下の説明において、上下方向に関しては、基本的には、図面における上下関係に基づいて説明する。そして、図面において、各構成部材の大きさの関係が実際のものとは異なる場合がある。
【００１０】
実施の形態１．
図１は、この発明の実施の形態１に係る照明器具１の構成を示す斜視図である。また、図２は、この発明の実施の形態１に係る照明器具１の分解斜視図である。そして、図３は、この発明の実施の形態１に係る器具本体１００の構成を示す図である。図１および図２に示すように、実施の形態１の照明器具１は、長尺の辺と短尺の辺とを有するほぼ直方体の形状をしている。以下、照明器具１における長尺の方向は、長手方向とし、短尺の方向は、短手方向として説明する。照明器具１は、器具本体１００および光源ユニット２００を有している。器具本体１００は、天井、壁などの被取付部に取り付けられる。また、器具本体１００は、凹部１１０を有しており、光源ユニット２００は、光源ユニット２００の一部が凹部１１０に収容されるように、器具本体１００に取り付けられている。
【００１１】
器具本体１００は、後述するように、底部１１１および側面部１１２となる壁により、形成される凹部１１０を有している。また、電源装置１２０と、電源端子台１３０と、調光端子台１４０と、端板１５０とを有している。ここで、端板１５０は、器具本体１００において、凹部１１０の長手方向端部に取り付けられている。
【００１２】
凹部１１０は、長方形の板状の壁により形成される底部１１１と、底部１１１の短手方向の両側辺からそれぞれ突設された壁により形成される側面部１１２とを有している。底部１１１と対になる側面部１１２とで内部空間を形成している。底部１１１には、電源装置１２０、電源端子台１３０および調光端子台１４０が配設されている。また、底部１１１は、電源穴１１１ａおよび取付穴１１１ｂを有している。電源穴１１１ａは、電源端子台１３０へ接続され、外部の商用電源から電力供給を受けるための電源線を引き込む穴である。また、調光端子台１４０に接続される信号線を引き込む信号線も電源穴１１１ａを介して引き込んでいる。電源穴１１１ａは、長手方向において、電源装置１２０、電源端子台１３０および調光端子台１４０より外側の位置に設けられている。また、取付穴１１１ｂは、器具本体１００を、ビス、ボルトなどの固定具で、被取付部に固定するために設けられた穴である。取付穴１１１ｂは、長手方向において、電源穴１１１ａより外側の位置に設けられている。ここで、調光端子台１４０に接続される信号線を引き込む信号線穴を別に設けるようにしてもよい。
【００１３】
図４は、この発明の実施の形態１に係る照明器具１の断面を示す図である。また、図５は、この発明の実施の形態１に係る照明器具１を分解したときの断面を示す図である。図４および図５は、照明器具１の長手方向中央部分の内部構成を示している。凹部１１０は、底部１１１に対向し、凹部１１０の開口部分となる凹部開口１１３を有している。図５では、凹部開口１１３を仮想点線で示している。凹部開口１１３は、底部１１１と対向している。側面部１１２の一端が、凹部開口１１３の縁となる。また、器具本体１００の凹部１１０は、側面部１１２の凹部開口１１３側の端部に、光源ユニット２００を保持するための凸部１１４を有している。凸部１１４は、対に設けられた側面部１１２の、凹部開口１１３における端部において、互いに向かい合うように凸状に形成されている。
【００１４】
また、器具本体１００が有する電源装置１２０は、商用電源（図示せず）から供給される電力を変換し、光源ユニット２００を点灯させる装置である。電源装置１２０は、略直方体形状をしたケースと、ケース内に設けられた点灯回路とを有している。また、図示されてないが、電源装置１２０の出力側には、光源ユニット２００の光源側電線２１３とコネクタなどにより着脱可能に接続する電源側電線が設けられている。
【００１５】
電源装置１２０は、凹部１１０において、長手方向の中央部分に配置されているとともに、短手方向においては、一方側の側面部１１２に寄せて、他方側の側面部１１２との間に隙間が生じるように配置されている。この隙間には、端子台電線１３１が配置されている。また、隙間に、調光端子台１４０と電源装置１２０とを接続する電線が配置されるようにしてもよい。
【００１６】
電源端子台１３０は、電源穴１１１ａを介して外部から引き込まれた電源線が接続され、商用電源からの電力を、各部品へ供給する台である。電源端子台１３０は、凹部１１０の長手方向において、電源装置１２０を挟むように２つ配設されており、それぞれに対応して設置された電源穴１１１ａと隣接するように配設されている。２つの電源端子台１３０は、端子台電線１３１によって、互いに接続される。また、一方の電源端子台１３０は、電源装置１２０の入力部と、電線（図示せず）を介して接続されている。２つの電源端子台１３０を設けることで、どちらの電源穴１１１ａから電源線が引き込まれても、電源装置１２０は、商用電源からの電力供給を受けることができる。また、端子台電線１３１は、器具内配線用の電線である。端子台電線１３１は、外部から引き込まれた電源線より細い線である。以上のように、電源端子台１３０を配設することで、凹部１１０の内側に外部から引き込まれる電源線を配置するスペースを設ける必要がなく、凹部１１０の内部空間を有効活用することができる。また、凹部１１０の大型化を抑制することができる。凹部１１０の内側に外部からの電線が配設されるときは、たとえば、複数の照明器具１を隣接して設置するときなどである。
【００１７】
調光端子台１４０は、外部から引き込まれる信号電線が挿し込まれるものであり、信号電線を介して送付される制御信号を電源装置１２０に伝えるものである。前述したように、実施の形態１の器具本体１００においては、信号電線は、電源穴１１１ａから引き込んでいる。
【００１８】
端板１５０は、凹部１１０の長手方向端部を塞ぐように配設された板である。端板１５０は、凹部１１０の底部１１１および側面部１１２とそれぞれ係合して固定されており、凹部１１０の変形を抑制するものである。ここで、端板１５０は、凸部１１４が可動できるように、側面部１１２と係合している。また、端板１５０との間に切り欠きなどにより間を設けると、凸部１１４をより可動しやすくなる。
【００１９】
光源ユニット２００は、発光モジュール２１０と、フレーム２２０と、カバー２３０と、図１などに示すように、エンドキャップ２４０とを有している。光源ユニット２００は、器具本体１００の凹部１１０に、一部を収容するように着脱可能に取り付けられている。
【００２０】
発光モジュール２１０は、光源となる複数の発光素子２１１と、複数の発光素子２１１が直線状に実装される、矩形状をした基板２１２と、基板２１２の長手方向の一端側に設けられた光源側電線２１３とを有している。
【００２１】
図６は、この発明の実施の形態１に係るフレーム２２０とカバー２３０とを説明する図である。フレーム２２０は、器具本体１００に対応して長尺形状をしている。断面が略エの字形状またはＨ字形状をしている。フレーム２２０は、たとえば、アルミ材を押出成型して形成してもよく、板金などを一体的に形成してもよい。フレーム２２０は、発光モジュール２１０が取り付けられる基板取付面２２１ａを有する第一板部２２１を有している。また、第一板部２２１の基板取付面２２１ａと反対側の面から突出する柱部２２２を有している。そして、柱部２２２を挟んで、第一板部２２１と対向するように設けられた第二板部２２３を有している。
【００２２】
第一板部２２１は、発光モジュール２１０が取り付けられる基板取付面２２１ａに、発光モジュール２１０を保持するモジュール保持部２２１ｂと、カバー２３０を保持するカバー保持部２２１ｃとを有している。発光モジュール２１０およびカバー２３０は、長手方向の端部から挿し込まれて、取り付けられている。基板取付面２２１ａと反対の面は、凹部開口１１３の縁と当接する当接面となる。
【００２３】
柱部２２２は、第一板部２２１の短手方向中央部分と第二板部２２３の短手方向中央部分とを接続し、第一板部２２１と第二板部２２３とを間を空けて連結している。柱部２２２は、基板２１２の背面と第一板部２２１を介して対向している。柱部２２２があることで、基板２１２が発する熱の放熱性を向上させることができる。
【００２４】
第二板部２２３は、第一板部２２１と対向するように設けられている。第二板部２２３は、凹部１１０内に収容される部分となるため、短手方向における長さが第一板部２２１より短く形成されている。また、第二板部２２３は、第二板端部の両方に、爪部２２３ａを有している。爪部２２３ａは、第一板部２２１方向へ広がるように傾斜した傾斜部２２３ａａと、凸部１１４と当接する係止部２２３ａｂとを有している。爪部２２３ａは、第一板部２２１との間に、器具本体１００の凸部１１４が嵌め込まれ、収納される空間Ａが設けられている。また、第二板部２２３は、収納部２２３ｂを有している。収納部２２３ｂには、付属部品、補強部品などを収納することができる。付属部品とは、たとえば、落下防止金具などである。ここで、図４などに示すように、凹部１１０内において、器具本体１００の電源装置１２０は、底部１１１側に配置され、光源ユニット２００のフレーム２２０は、上部側に配置される。このとき、光源ユニット２００は、電源装置１２０と干渉しないように設置される。したがって、光源ユニット２００の下端であるフレーム２２０の第二板部２２３と電源装置１２０の上端とは接触せず、フレーム２２０により、上下方向に空間を分けることができる。
【００２５】
さらに、光源ユニット２００のフレーム２２０と器具本体１００の凹部１１０の凹部開口１１３との短手方向における長さの関係について説明する。前述した図５に示すように、凹部１１０の外寸（対になる側面部１１２の外側から外側の寸法）をＬ１とし、内寸（対向する凸部１１４間の最短寸法）をＬ２とし、第一板部２２１の寸法をＬ３とし、第二板部２２３の寸法をＬ４とする。このとき、次のような関係となる。
（１）第一板部２２１の寸法Ｌ３は、第二板部２２３の寸法Ｌ４よりも大きい。
（２）第一板部２２１の寸法Ｌ３は、凹部１１０の外寸Ｌ１よりも大きい。
（３）第二板部２２３の寸法Ｌ４は、凹部１１０の外寸Ｌ１よりも小さく、内寸Ｌ２よりも大きい。
【００２６】
また、フレーム２２０の強度については、次のような特徴がある。
（１）フレーム２２０の第一板部２２１および第二板部２２３は、Ｈ鋼のフランジの役割をなし、柱部２２２は、ウェブの役割をなす。
（２）第一板部２２１と第二板部２２３とは、長手方向に曲げようとする力がかかったときに、それぞれで負荷を分担することができる。たとえば、一方が引張の力に対抗し、他方が圧縮の力に対抗する。ここで、曲げようとする力には、荷重による撓み、バネなどによる引っ張る負荷も含まれる。
（３）柱部２２２は、短手方向へねじろうとする力に対向するものであり、外側の幅寸法に対して、上下方向への長さよりも、ねじれ難くすることができる。このため、柱部２２２は、第一板部２２１、第二板部２２３の板厚より厚くするとよい。
【００２７】
このように、フレーム２２０を上下方向に長くすることなく、フレーム２２０の剛性を得ることができる。よって、薄型のフレーム２２０にすることができる。
【００２８】
カバー２３０は、発光モジュール２１０を保護する。また、発光素子２１１が発光した光を拡散して透過する。カバー２３０は、透過性の材料から形成されている。カバー２３０は、たとえば、ポリカーボネートなどの樹脂材料を押し出し成型して形成されている。しかしながら、樹脂材料に限定するものではなく、たとえば、ガラスなどの他の材料により形成してもよい。カバー２３０は、発光モジュール２１０を覆うように発光モジュール２１０と対向する主カバー部２３１を有している。また、主カバー部２３１の短手方向の両端側よりフレーム２２０側へ突設したカバー側面部２３２を有している。そして、カバー側面部２３２の端部に設けられフレーム２２０のカバー保持部２２１ｃと係合するカバー爪部２３３を有している。ここで、対になるカバー側面部２３２の外側の距離は、凹部１１０の外寸Ｌ１と略同一である。そして、光源ユニット２００が器具本体１００に取り付けられた状態において、連続的な意匠を形成することができる。
【００２９】
エンドキャップ２４０は、カバー２３０の長手方向端部に連続して設けられ、カバー２３０とフレーム２２０の第一板部２２１とで囲まれた空間を塞ぐ。エンドキャップ２４０は、光源側電線２１３を基板取付面２２１ａ側から第二板部２２３側に配設できるように、電線用開口（図示せず）を有している。
【００３０】
図７は、この発明の実施の形態１に係る光源ユニット２００を器具本体１００に取り付ける工程について説明する図である。次に、光源ユニット２００の器具本体１００への取り付け工程に関して説明を行う。図７（ａ）は、照明器具１の短手方向に係る断面図を示す。図７（ａ）は、取り付け前の段階で器具本体１００と光源ユニット２００とが分かれた状態を示している。
【００３１】
図７（ｂ）は、光源ユニット２００が、器具本体１００の凹部１１０内に挿入される途中の状態を示している。光源ユニット２００は、爪部２２３ａの傾斜部２２３ａａが凹部１１０の凸部１１４に摺動するように当接している状態となる。光源ユニット２００を凹部１１０の内側に押し込んでいくと、側面部１１２が、傾斜部２２３ａａに押され、凸部１１４が外側に向かって移動するように側面部１１２が弾性変形する。このとき、第一板部２２１のカバー保持部２２１ｃを把持して、光源ユニット２００を器具本体１００に押し込んで取り付けることで、カバー２３０を汚さずにすむ。
【００３２】
図７（ｃ）は、光源ユニット２００が器具本体１００に取り付けられた状態を示している。光源ユニット２００は、第一板部２２１の当接面が、凸部１１４の上側（図５の上側）となる凹部開口１１３の縁に当接するまで押し込まれる。このとき、傾斜部２２３ａａは摺動を終え、側面部１１２の弾性変形は解除されて凸部１１４が第一板部２２１と第二板部２２３との間に嵌め込まれるように収納される。そして、光源ユニット２００は、側面部１１２に挟持されるように、器具本体１００に取り付けられる。ここで、爪部２２３ａは、係止部２２３ａｂが凸部１１４に当接して係止され、器具本体１００に取り付けられた光源ユニット２００の動きが制限される。
【００３３】
光源ユニット２００を器具本体１００から取り外すときには、上述した手順の逆の手順を行う。側面部１１２より外側に突き出している第一板部２２１を把持部として利用し、第一板部２２１を把持して、光源ユニット２００を引っ張ることで、光源ユニット２００が器具本体１００から外しやすくなる。
【００３４】
上述した説明では、側面部１１２が弾性変形するものとした。ただし、これに限定するものではない。たとえば、第二板部２２３および爪部２２３ａが弾性変形してもよい。また、側面部１１２並びに第二板部２２３および爪部２２３ａが弾性変形してもよい。ここで、第二板部２２３は、柱部２２２に対して爪部２２３ａまでが片持ち形状になっており、弾性変形しやすくなっている。
【００３５】
以上のように、実施の形態１の照明器具１においては、光源ユニット２００の安定した取り付けに関して次に示すような効果を奏する。
（１）実施の形態１の照明器具１では、光源ユニット２００において、フレーム２２０が第一板部２２１と第二板部２２３の間に空間Ａを有し、器具本体１００が側面部１１２の開口側に凸部１１４を有している。このため、光源ユニット２００を器具本体１００の開口側から押し込むことで、側面部１１２が弾性変形し、凸部１１４が空間Ａに嵌め込まれ、光源ユニット２００を器具本体１００に容易に固定することができる。
（２）フレーム２２０の第一板部２２１が、凸部１１４の開口側と当接することで、光源ユニット２００が、凹部１１０の内部へ所定以上に入り込むことを抑制し、内部の部品との干渉を防ぐことができる。また、実施の形態１の照明器具１においては、天井側から床側に向けて設置した場合には、光源ユニット２００が下側に向き、主にフレーム２２０の第二板部２２３が、凸部１１４に引っ掛かって、光源ユニット２００を支える。床側から天井側に向けて設置した場合も、光源ユニット２００が上側に向き、主にフレーム２２０の第一板部２２１が凸部１１４に引っ掛かって、光源ユニット２００を支える。このため、安定して光源ユニット２００を取り付けることができる。
（３）また、実施の形態１の照明器具１においては、フレーム２２０の第二板部２２３が凹部１１０の内寸Ｌ２より大きいので、第二板部２２３および爪部２２３ａがガイドとなり、光源ユニット２００を取り付けやすくなる。
また、第二板部２２３および爪部２２３ａがガイドとなることで、間接照明などとして用いるときに、狭い空間でも容易に取り付けることができる。
（４）光源ユニット２００を取り付ける際、側面部１１２が、傾斜部２２３ａａに押されて弾性変形することで、フレーム２２０の第二板部２２３部分を凹部１１０内に押し込むことができる。このため、バネなどを新たに設ける必要がなくなり、部品数を抑制することができる。また、凹部１１０内に収容される部品数を減らすことで、内部空間を有効活用することができる。
（５）実施の形態１の照明器具１においては、凸部１１４を円弧形状としたので、特開２０１７−１３５１２５号公報の照明器具のように、着脱を容易にする冶具を用いなくとも、光源ユニット２００の取り外しを行うことができる。ここで、光源ユニットが、器具本体と着脱可能に取り付けられている照明器具において、器具本体の凹部の内側に光源ユニットを引き込むように取り付けをするバネを有しているものがある。バネの力が強いと、長手方向において、光源ユニットの一部がバネの力によって撓み、凹部の内側に引き込まれる可能性があった。実施の形態１の照明器具１では、バネを用いず、フレーム２２０の短手方向で光源ユニット２００を器具本体１００に取り付けるようにしたので、光源ユニット２００の撓みなどを防ぐことができる。
【００３６】
また、前述した特許文献に記載された照明器具の光源ユニットでは、基板が取り付けられた面と、この面から略垂直方向へ対に突出された側面とを有するコの字形状のフレームを構成し、剛性を得るようにしていた。さらに、コの字の内側に電源装置を収容することができるほど、側面部を長くしていた。しかし、コの字状のフレームを凹部に収容すると、収容凹部に収容されている電源装置、電線などの部材と干渉するおそれがあった。
【００３７】
これに対し、実施の形態１の照明器具１のように、フレーム２２０を薄型化することで、次に示すような効果を奏する。
（１）実施の形態１の照明器具１において、光源ユニット２００は、フレーム２２０が、発光モジュール２１０が取り付けられる第一板部２２１と、第一板部２２１と対向する第二板部２２３と、第一板部２２１と第二板部２２３を連結する柱部２２２を有している。このため、剛性を確保することができる。したがって、図４に示すように、フレーム２２０が、上下方向に大きくならずにすみ、薄型化することができる。
（２）また、実施の形態１の光源ユニット２００においては、フレーム２２０が器具本体１００の側面部１１２により短手方向から挟まれるように保持されている。よって、器具本体１００と一体化するように光源ユニット２００が取り付けられ、器具本体１００が、光源ユニット２００に歪みが生じないように補強することができる。したがって、光源ユニット２００がねじれ難くなる。
（３）また、実施の形態１の照明器具１においては、光源ユニット２００と器具本体１００との一体化が長手方向にわたって保持されるようにしたので、光源ユニット２００を、器具本体１００に、より強固に固定することができる。また、長手方向において、光源ユニット２００が撓むことを抑制することができる。
（４）また、実施の形態１の照明器具１において、光源ユニット２００のフレーム２２０を薄型化することができたことで、凹部１１０の内部空間を有効に活用することができる。光源ユニット２００は、凹部１１０の底部１１１側に収容された電源装置１２０などの部品と干渉しないように、器具本体１００に取り付けることができる。凹部１１０は、光源ユニット２００が収容される上部側の領域と電源装置１２０などが収容される底部１１１側の領域とに、上下方向で分けることができる。また、フレーム２２０は、第一板部２２１と第二板部２２３との間に、フレーム２２０において、凸部１１４が嵌まる空間Ａを有している。このため、上下に空間を分けることができる。また、薄型化をはかることができる。
（５）上下に空間をわけることができるので、電源装置１２０を片側に寄せることができ、大型化を抑制して短手方向に器具内電線の収容箇所を設けることができる。また、短手方向に器具内電線を収容することで、光源ユニット２００と電源装置１２０との間などに電線を挟むことを防止することができる。
（６）以上の構成により、実施の形態１における照明器具１を小型化することができる。
【００３８】
また、前述した特許文献に記載された照明器具では、光源ユニットが有するカバーの一部により、凹部開口部分との間にできる隙間を覆って、隙間による暗がりを抑制している。そして、光源ユニットは、凹部の内側に設けられたバネにより、凹部側に引っ張られ、一部が凹部内に収容されるように取り付けられる。このため、樹脂カバーに負荷がかかり、樹脂カバーが変形するおそれがあった。また、光源ユニットは、器具本体と一体的になるように取り付けられるので、人が光源ユニットを掴めるところがなかった。このため、光源ユニットを器具本体から外そうとする場合には、樹脂カバーの一部を引っ張らなくてはならなかった。したがって、樹脂カバーを引っ張ることで、樹脂カバーに意図しない負荷がかかり、樹脂カバーが変形し、隙間ができるなどが生じる可能性があった。
【００３９】
これに対し、実施の形態１の照明器具１においては、カバー２３０への負荷抑制に関して次に示すような効果を奏する。
（１）凹部１１０を有する器具本体１００に着脱可能に取り付けられる光源ユニット２００を備える照明器具１であって、光源ユニット２００のフレーム２２０は、凹部１１０と当接する第一板部２２１を有している。そして、第一板部２２１は、凹部１１０と当接する面と反対側の面にカバー２３０を保持するカバー保持部２２１ｃを有していることで、カバー２３０が、凹部１１０とは直接当接しない構成となる。このため、カバー２３０に係る負荷を抑制することができる。
（２）また、光源ユニット２００のフレーム２２０における第一板部２２１は、凹部１１０の外寸Ｌ１より大きく形成されている。このため、凹部１１０の内側を隠すことができ、凹部１１０と光源ユニット２００との間の隙間を小さくすることができる。このため、暗がりが発生することを抑制することができる。ここで、（１）および（２）の効果だけを満たせばよいのであれば、第一板部２２１の短手方向における長さＬ３は、凹部開口１１３の縁の幅となる、図５に示すＬ１１（凸部１１４の最上部の距離）と同じ長さでもよい。
（３）また、凹部１１０の外寸Ｌ１より大きい第一板部２２１を有することで、光源ユニット２００を取り外すときに、第一板部２２１の外縁を把持することができ、取り外しやすくなる。また、着脱時に、カバー２３０を把持しなくてもよいので、カバー２３０の汚れを抑制できる。
（４）また、長尺状の照明器具１においては、器具本体１００および光源ユニット２００ともに、長手方向において撓み、ねじれが発生しやすい。カバー２３０が樹脂部材の場合には、特に起こりやすくなる。実施の形態１の照明器具１のように、フレーム２２０を樹脂材料より剛性のある材料で形成することにより、長手方向における撓み、ねじれなどの変形を抑制することができ、凹部開口１１３を塞ぐことができる。
【００４０】
図８は、この発明の実施の形態１に係る照明器具１の他の一例を示す図である。前述した照明器具１は、カバー２３０において、主カバー部２３１を円弧状に形成した例について説明を行った。図８に示すように、カバー２３０において、主カバー部２３１を角形状に形成するようにしてもよい。
【００４１】
実施の形態２．
図９は、この発明の実施の形態２に係る照明器具１の構成を説明する図である。図９（ａ）、図９（ｂ）および図９（ｃ）に示すように、実施の形態２の照明器具１では、フレーム２２０ｌが複数の柱部２２２ｌを有している。フレーム２２０ｌが複数の柱部２２２ｌを有するようにしたので、フレーム２２０ｌの耐久性を向上させることができる。特に、ねじれに対して強い耐久性を有する。
【００４２】
実施の形態３．
図１０は、この発明の実施の形態３に係る照明器具１の構成を説明する図である。実施の形態１および実施の形態２の照明器具１では、爪部２２３ａは第二板部２２３ｌと一体形成されていた。図１０に示すように、実施の形態３に係る照明器具１では、フレーム２２０において、第二板部２２３ｌとは別に独立した爪部２２３ａｌを設けたものである。
【００４３】
実施の形態３の照明器具１のように、フレーム２２０ｍにおいて、爪部２２３ａｍを別に設けることで、爪部２２３ａｍの部材を任意に選択することができる。このため、爪部２２３ａｍの弾性力を任意に調整することができる。また、長手方向に延びる第二板部２２３ｌに対し、複数の爪部２２３ａｍを、部分的に設けることができる。長尺に形成されている器具本体１００および光源ユニット２００は、ともに、長手方向において、撓み、ねじれなどが発生しやすい。よって、爪部２２３ａｍを別部材として部分的に配置することで、撓み、ねじれなどが起こっても、局所的に用いることで、光源ユニット２００が取り付けやすくなる。ここで、爪部２２３ａｍの形状については、特に限定するものではない。第一板部２２１ｍとの間で、凸部１１４とが嵌め込まれる空間を有していれば、異なる形状でもよい。
【００４４】
実施の形態４．
図１１は、この発明の実施の形態４に係る照明器具１の構成を説明する図である。図１１に示すように、実施の形態４の照明器具１は、フレーム２２０ｎの第一板部２２１ｎがガイド部２２３ｃを有する構成にしたものである。第一板部２２１ｎがガイド部２２３ｃを有する構成にしたことで、光源ユニット２００ｎを器具本体１００に取り付けるときに、位置ずれすることなく取り付けることができる。このため、取り付けが容易になる。また、光源ユニット２００ｎと器具本体１００との間に暗がりが生じることを、より抑制することができる。
【００４５】
実施の形態５．
上述した実施の形態１〜実施の形態４においては、器具本体１００に電源装置１２０を設けた仕様について説明を行ったが、これに限定するものではない。光源ユニット２００が、電源装置１２０を備える仕様でもよい。
【００４６】
また、実施の形態１〜実施の形態４では、天井、壁などに取り付けられるトラス形状の照明器具について説明したが、トラス形状に限るものではない。たとえば、器具本体１００が反射部を有する逆富士形の形状でもよい。照明器具であれば、その形状を限定するものではない。
【００４７】
また、実施の形態１〜実施の形態４の照明器具１において、光源ユニット２００は、レンズなどの配光制御部材を、発光モジュール２１０とカバー２３０の間に設けてもよい。配光制御部材を配設することで、光源ユニット２００の配光を広角にしてもよく、狭角にしてもよい。また、被取付部側へ配光できるようにしてもよい。
さらに、フレーム２２０の基板取付面２２１ａに、配光制御部材が取り付けることができるような爪などの係合部を設けてもよい。係合部を設けることで、光学制御部材を容易に取り付けることができ、作業性を向上させることができる。
【００４８】
また、器具本体１００において、端板１５０を凹部１１０に取り付ける構造は、側面部１１２に取り付けるための爪などの凹凸を形成しないように取り付けを行う構造でもよい。凹凸を形成しないような構造とは、たとえば、端板１５０が凸部１１４に長手方向端部から挿し込まれる挿込片を有している形状であり、凹部１１０の内側で端板１５０と接続する構造である。側面部１１２に凹凸が形成されない構造にすることで、意匠性を向上させることができる。また、光源ユニット２００との連続性も向上させることができる。
【００４９】
また、実施の形態１〜実施の形態４の構成の照明器具１は、適宜組み合わせることが可能である。また、実施の形態１〜実施の形態４の一部を抽出して組み合わせることも可能である。さらに、実施の形態１〜実施の形態４に限らず、適宜変更することも可能である。
【符号の説明】
【００５０】
１  照明器具、１００  器具本体、１１０  凹部、１１１  底部、１１１ａ  電源穴、１１１ｂ  取付穴、１１２  側面部、１１３  凹部開口、１１４  凸部、１２０  電源装置、１３０  電源端子台、１３１  端子台電線、１４０  調光端子台、１５０  端板、２００，２００ｎ  光源ユニット、２１０  発光モジュール、２１１  発光素子、２１２  基板、２１３  光源側電線、２２０，２２０ｌ，２２０ｍ，２２０ｎ  フレーム、２２１，２２１ｍ，２２１ｎ  第一板部、２２１ａ  基板取付面、２２１ｂ  モジュール保持部、２２１ｃ  カバー保持部、２２２，２２２ｌ  柱部、２２３，２２３ｌ  第二板部、２２３ａ，２２３ａｌ，２２３ａｍ  爪部、２２３ａａ  傾斜部、２２３ａｂ  係止部、２２３ｂ  収納部、２２３ｃ  ガイド部、２３０  カバー、２３１  主カバー部、２３２  カバー側面部、２３３  カバー爪部、２４０  エンドキャップ。
【図１】
2019149295.tif 000003
【図２】
2019149295.tif 000004
【図３】
2019149295.tif 000005
【図４】
2019149295.tif 000006
【図５】
2019149295.tif 000007
【図６】
2019149295.tif 000008
【図７】
2019149295.tif 000009
【図８】
2019149295.tif 000010
【図９】
2019149295.tif 000011
【図１０】
2019149295.tif 000012
【図１１】
2019149295.tif 000013